(57)【要約】  本発明は、固定通信網（ＩＳＤＮ，ＰＳＴＮ）からおよび／または固定通信網を介し、移動通信網（ＰＬＭＮ）を介する移動移動通信ユニットへの呼出しによって要求されたサービスの識別方法において、サービスに特有の伝達能力に関する全ての使用可能な部分情報を、集めて一緒にしてサービスの識別に使用し、移動通信ユニット（ＭＳ）に通知する。
2005512427.tif 000002
【特許請求の範囲】
【請求項１】
固定通信網（ＩＳＤＮ，ＰＳＴＮ）からおよび／または固定通信網（ＩＳＤＮ，ＰＳＴＮ）を介し、移動通信網（ＰＬＭＮ）を介する移動通信ユニット（ＭＳ）への呼出しによって要求されるサービスの識別方法において、サービスに特有の伝達能力に関する全ての使用可能な部分情報を、集めて一緒にしてサービスの識別に使用し、移動通信ユニット（ＭＳ）に通知することを特徴とするサービスの識別方法。
【請求項２】
サービスに特有の情報要素（ＬＬＣ，ＨＬＣ，ＢＣ）を有する、移動通信ユニット（ＭＳ）への信号通知メッセージ内に、追加情報要素（ＢＡＣＫＵＰ）を設け、追加情報要素（ＢＡＣＫＵＰ）内にサービスに特有の伝達能力に関する全ての使用可能な集められた情報を一緒にすることを特徴とする請求項１記載の方法。
【請求項３】
追加情報要素（ＢＡＣＫＵＰ）を過去互換要素として設けることを特徴とする請求項１乃至２の１つに記載の方法。
【請求項４】
追加情報要素（ＢＡＣＫＵＰ）を在圏移動通信交換局（ＶＭＳＣ）において新たに作成することを特徴とする請求項１乃至３の１つに記載の方法。
【請求項５】
追加情報要素（ＢＡＣＫＵＰ）をホームロケーションレジスタ（ＨＬＲ）において新たに作成することを特徴とする請求項１乃至４の１つに記載の方法。
【請求項６】
追加情報要素（ＢＡＣＫＵＰ）はこの追加情報要素（ＢＡＣＫＵＰ）が含む情報を固定通信網（ＩＳＤＮ，ＰＳＴＮ）および／または移動通信網（ＰＬＭＮ）から得ることを特徴とする請求項１乃至５の１つに記載の方法。
【請求項７】
移動通信網（ＰＬＭＮ）のホームロケーションレジスタ（ＨＬＲ）において定められた個数の種々のサービスに、１つの番号（ＭＳＩＤＳＮ）を、サービスに特有の伝達能力に関する集められて一緒にされた使用可能な部分情報の追加的な使用によりサービスの識別が可能になり且つこれが移動通信ユニット（ＭＳ）に通知されるように割付けることを特徴とする請求項１乃至６の１つに記載の方法。
【請求項８】
一義的な識別を可能にすることを特徴とする請求項７記載の方法。
【請求項９】
移動通信網としてディジタル公衆陸上移動通信網（ＰＬＭＮ）、特にＧＳＭ通信網またはＵＭＴＳ通信網を選ぶことを特徴とする請求項１乃至８の１つに記載の方法。
【請求項１０】
固定通信網としてディジタル通信網、特にサービス総合ディジタル通信網（ＩＳＤＮ）を使用することを特徴とする請求項１乃至９の１つに記載の方法。
【請求項１１】
固定通信網としてアナログ通信網、特に公衆電話交換網（ＰＳＴＮ）を選ぶことを特徴とする請求項１乃至９の１つに記載の方法。
【発明の詳細な説明】
【技術分野】
【０００１】
本発明は、固定通信網からおよび／または固定通信網を介し、移動通信網を介する移動通信ユニットへの呼出しによって要求されるサービスの識別方法に関する。例えばＧＳＭ通信網またはＵＭＳ通信網のようなディジタル移動通信網つまりＰＬＭＮ（Ｐｕｂｌｉｃ  Ｌａｎｄ  Ｍｏｂｉｌｅ  Ｎｅｔｗｏｒｋ、公衆陸上移動通信網）において、通信ユニットへの呼出しにより特定のサービスが要求される。この通信ユニットへの呼出しは、一般に、はじめに通信ユニットのいわゆるコールセットアップフェーズで信号通知される。これは、呼出しつまりサービスのために特有の情報が伝達されることを意味する。要求されたサービスは、例えば通話サービス、データサービス、あるいはファクシミリサービスである。事前の信号通知は、要求されたサービスに対応できるかどうか、あるいは利用者がそもそも特定のサービスを利用する権利を与えられているかどうかを検査できる可能性を通信網および／または例えば移動通信ユニットの如き端末機に与えるのに役立つ。更に、このような呼出し信号通知に基づいて呼出し確立のための相応の準備措置を講じることができる。呼出しつまり呼出しによって要求されたサービスに特有の情報は一般に信号通知メッセージいわゆるコールセットアップメッセージ（ｃａｌｌ  ｓｅｔ−ｕｐ  ｍｅｓｓａｇｅ）で通知される。この場合に、特有の情報は、ここでも情報の種類に応じて、もちろん定められた情報要素に割付けられる。１番目の情報要素は呼出しつまりサービスに特有の全ての伝達能力を持ち、ＢＣ（Ｂｅａｒｅｒ  Ｃａｐｂｉｌｉｔｙ、伝達能力）と呼ばれる。２番目の情報要素はＬＬＣ（Ｌｏｗ  Ｌａｙｅｒ  Ｃｏｍｐａｔｉｂｉｌｉｔｙ、低位レイヤ整合性）と呼ばれ、３番目の情報要素はＨＬＣ（Ｈｉｇｈ  Ｌａｙｅｒ  Ｃｏｍｐａｔｉｂｉｌｉｔｙ、高位レイヤ整合性）と呼ばれている。これらの情報要素は呼出しを発する側の通信ユニットによって準備されなければならない。ＬＬＣおよびＨＬＣ情報要素が通過すべき通信網を通して運ばれる際に透明である間、ＢＣ情報要素は個々の通信網の要求に応じて変化し得る。例えばＩＳＤＮおよびＰＬＭＮに対して異なるＢＣ情報要素が定義されている。異なる通信網間のインターフェースではこれらのＢＣ情報要素が順次模写される。
【０００２】
その場合の問題は、供給された模写すべき情報要素がたいていは完全でないことにある。すなわち、呼出しを発する側の通信ユニットが呼出しを受ける側の通信ユニットによって待ち受けられる全ての情報を準備していないか、あるいは通過すべき通信網が情報を伝達する状態にないかである。後者は、例えば通過すべき通信網のもとにＰＳＴＮ（Ｐｕｂｌｉｃ  Ｓｗｉｔｃｈｅｄ  Ｔｅｌｅｐｈｏｎｅ  Ｎｅｔｗｏｒｋ、公衆電話交換網）の如きアナログ通信網が存在する場合か、またはＩＳＤＮ信号通知の特定国版が使用される場合である。呼出しを受ける側の通信ユニットが移動通信ユニットである場合、呼出しによってどのサービスが要求されるかを移動通信網に対して決定することが問題である。
【０００３】
その場合にＧＭＳ／ＵＭＴＳ規格は２つの異なるメカニズムを詳細に記述しており、メカニズムの一方は単一番号付与型（ｓｉｎｇｌｅ−ｎｕｍｂｅｒｉｎｇ  ｓｃｈｅｍｅ）と呼ばれ、他方は多重番号付与型（ｍｕｌｔｉ−ｎｕｍｂｅｒｉｎｇ  ｓｃｈｅｍｅ）と呼ばれる。
【０００４】
単一番号付与型の場合、利用者もしくは移動通信ユニットは、利用者が利用する権利を有する全てのサービスに有効である1つの番号だけを保持する。この場合に、固定通信網側から要求されたサービスは、例えば情報要素ＢＣ，ＬＬＣ，ＨＬＣから供給される情報により識別することができる。例えばＩＳＤＮから得られる情報要素ＢＣ（以下、単にＢＣと言う。）は、ＰＬＭＮにおいて、すなわち正確に言うと、呼出し確立時点で移動通信ユニットに対する所轄の移動通信交換局（ＭＳＣ＝Ｍｏｂｉｌｅ  Ｓｗｉｔｃｈｉｎｇ  Ｃｅｎｔｅｒ）、在圏移動通信交換局（ＶＭＳＣ＝Ｖｉｓｉｔｅｄ  Ｍｏｂｉｌｅ  Ｓｗｉｔｃｈｉｎｇ  Ｃｅｎｔｅｒ）において、ＰＬＭＮ−ＢＣ上に模写される。このＰＬＭＮ−ＢＣは、これが完全であるならば移動通信ユニットに送られる。ＧＳＭ／ＵＭＴＳ規格によれば、不完全なＢＣを移動通信ユニットに送ることは許されない。ＰＬＭＮが完全なＢＣを新たに作成することができない場合、ＢＣは移動通信ユニットに送られない。この場合、移動通信ユニットはサービスに関する情報を持つことなしにサービスを選択しなければならない。移動通路ユニットによって選択されたサービスが固定通信網から来るサービスに相当しない場合、サービスを要求する呼出しは拒否される。例えば移動通信ユニットが通話サービスを選択するが、しかし固定通信網からモデムによるデータサービスが来る場合には呼出しは確立されない。従って、単一番号付与型は、完全なＢＣを新たに作成できるようにするのに固定通信網から十分な情報が供給される場合に良好に適用することができる。
【０００５】
多重番号付与型の場合、利用者もしくは移動通信ユニットは種々の番号、すなわち利用する権利を与えられているサービス毎に正確に１つの番号を保持する。それによって、サービス要求のための呼出しを発信した通信ユニットは、当該番号の入力によって既に特定のサービスを選択したことになる。番号に割付けられている完全なＰＬＭＮ−ＢＣが、ＰＬＭＮのＨＬＲ（Ｈｏｍｅ  Ｌｏｃａｔｉｏｎ  Ｒｅｇｉｓｔｅｒ、ホームロケーションレジスタ）に記憶されている。各番号には正確に１つのＰＬＭＮ−ＢＣが割付けられている。要求されたサービスを識別する完全なＰＬＭＮ−ＢＣは、呼出しを受ける側の移動通信ユニットに送られる。ＰＬＭＮ−ＢＣはＨＬＲからＶＲＬ（Ｖｉｓｉｔｏｒ  Ｌｏｃａｔｉｏｎ  Ｒｅｇｉｓｔｅｒ、ビジタロケーションレジスタ）および在圏移動通信交換局（ＶＭＳＣ）を介して移動通信ユニットへ導かれる。多重番号付与型は固定通信網が十分な情報を供給しない場合に適用できる。
【０００６】
単一番号付与型の利点は番号を節約できるという事実である。その欠点は、完全なＢＣを新たに作成ことができない場合に移動通信ユニットがどの情報もなしにサービスを選択しなければならないことにある。
【０００７】
多重番号付与型は、移動通信ユニットが完全なサービス特有のＢＣを得るという利点を有する。しかしながら、この場合に同一の利用者が非常に多くの番号を使用可能でなければならない。つまり利用者は利用を許可されているサービス毎に１つの番号を使用可能でなければならない。この欠点は、付与可能な番号範囲が限られており、現在の通信網において利用者数が絶えず増加する場合にはますます顕著となる。
【０００８】
従って、本発明の課題は、移動通信ユニットの同一利用者のための番号の個数を最小限にしながら、できるだけ高い確率でサービスの識別を可能にすること、すなわちサービスつまり相応の呼出しに特有の伝達能力に関するできるだけ完全な情報を供給することを可能にする方法を提供することにある。
【０００９】
この課題は本発明によれば請求項１による方法によって解決される。本発明による方法の他の有利な実施態様は対応する従属請求項に記載されている。
【００１０】
請求項１によれば、固定通信網からおよび／または固定通信網を介し、移動通信網を介する移動移動通信ユニットへの呼出しによって要求されるサービスの識別方法おいて、サービスに特有の伝達能力に関する全ての使用可能な部分情報が、集められて一緒にされて呼出しによって要求されたサービスの識別に使用され、移動通信ユニットに通知される。
移動通信網は一般にいわゆる既述のＰＬＭＮ（Ｐｕｂｌｉｃ  Ｌａｎｄ  Ｍｏｂｉｌｅ  Ｎｅｔｗｏｒｋ、公衆陸上移動通信網）である。
固定通信網は、例えばＩＳＤＮ（Ｉｎｔｅｒｇｒａｔｅｄ  Ｓｅｒｖｉｃｅｓ  Ｄｉｇｉｔａｌ  Ｎｅｔｗｏｒｋ、サービス総合ディジタル通信網）またはＰＳＴＮ（Ｐｕｂｌｉｃ  Ｓｗｉｔｃｈｅｄ  Ｔｅｌｅｐｈｏｎｅ  Ｎｅｔｗｏｒｋ、公衆電話交換網）であってよい。
【００１１】
本発明による方法の有利な実施態様では、呼出しに特有の情報要素（ＬＬＣ，ＨＬＣ，ＢＣ）を有する、移動通信ユニットへの信号通知メッセージ（ｃａｌｌ  ｓｅｔ−ｕｐ  ｍｅｓｓａｇｅ）に、追加情報要素が設けられ、この追加情報要素内に呼出しに特有の伝達能力に関する使用可能な集められた情報が一緒にされる。以下において、この追加情報要素をＢＡＣＫＵＰと呼ぶ。ＧＳＭ／ＵＭＴＳ規格に基づいて不完全なＢＣを移動通信ユニットに送ることが許されていない間、本発明に従って設けられたＢＡＣＫＵＰが呼出しに特有の伝達能力に関する不完全な情報を有し得る。信号通信メッセージいわゆる最初に述べたコールセットアップメッセージ（ｃａｌｌ  ｓｅｔ−ｕｐ  ｍｅｓｓａｇｅ）で移動通信ユニットに送られるＢＡＣＫＵＰにより、ＢＣ無しに比べて、通信網および／または移動通信ユニットが呼出しを識別することができ、それに従って呼出しに対応したサービスを支援できるかどうかの検査および／または利用者がサービスを利用する権利を与えられているかどうかの検査を行なうことができる確率が遥かに高くなる。場合によっては、呼出しの受領のために相応の準備措置を講じることができる。更に、利用者は全てのサービスに対して割付けられた唯一の利用者番号だけを有し、移動通信網の、つまり一般にはＰＬＭＮの経営者は番号を節約することができる。
【００１２】
本発明による他の有利な実施態様では、追加情報要素（ＢＡＣＫＵＰ）が移動通信網の在圏移動通信交換局（ＶＭＳＣ）において新たに作成される。利用者もしくは移動通信ユニットには、既に述べたように、対応のホームロケーションレジスタＨＬＲ（Ｈｏｍｅ  Ｌｏｃａｔｉｏｎ  Ｒｅｇｉｓｔｅｒ）内に記憶されている番号が割付けられている。ここでこの番号に対する呼出しがＰＬＭＮにおいてゲートウェイ移動通信交換局（ＧＭＳＣ＝Ｇａｔｅｗａｙ  Ｍｏｂｉｌｅ  Ｓｗｉｔｃｈｉｎｇ  Ｃｅｎｔｅｒ）に到着すると、ＧＭＳＣは、呼び出された利用者の移動通信ユニットの現在地を決定するために該当のＨＬＲに方向転換する。このために、ここでもＨＬＲは、要求メッセージ（Ｐｒｏｖｉｄｅ  Ｒｏａｍｉｎｇ  Ｎｕｍｂｅｒ）により、利用者の現在の滞在地に対する所轄の相応のビジタロケーションレジスＶＬＲ（Ｖｉｓｉｔｏｒ  Ｌｏｃａｔｉｏｎ  Ｒｅｇｉｓｔｅｒ）のいわゆるローミング番号を要求する。このローミング番号により、呼出しを移動通信ユニットに対する所轄のＶＭＳＣに転送することができるので、ＶＭＳＣは元の信号通知情報を獲得する。同時に、ホームロケーションレジスＨＬＲは要求メッセージとともに、ビジタロケーションレジスＶＬＲに、呼出しに特有の伝達能力に関する全ての使用可能な情報を一緒に供給する。これは、実行可能性付与に応じて、元の受信された情報（ＩＳＤＮ−ＢＣ）またはＨＬＲにおいて形成されたＰＬＭＮ−ＢＣである。後者の場合、ＰＬＭＮ−ＢＣが完全であるならば一緒に供給されるだけである。移動通信ユニットに対する所轄のＶＭＳＣはＶＬＲからこの情報を呼び出す。ＶＭＳＣが獲得情報に基づいて完全なＰＬＭＮ−ＢＣを形成することができない場合、ＶＭＳＣは追加情報要素ＢＡＣＫＵＰを新たに作成し、この追加情報要素ＢＡＣＫＵＰを信号通知メッセージで移動通信ユニットに送る。
【００１３】
他の有利な実施態様では、追加情報要素（ＢＡＣＫＵＰ）を所轄のホームロケーションレジスＨＬＲにおいて新たに作成することができる。この追加情報要素は上述の要求メッセージでビジタロケーションレジスＶＬＲに供給される。ＶＬＲから追加情報要素をＶＭＳＣのために使用可能となる。
【００１４】
特に、固定通信網（すなわち例えばＩＳＤＮまたはＰＳＴＮ）および／または移動通信網（すなわち一般にＰＬＭＮ）からの、追加情報要素を含む全ての情報は関連させられる。ＩＳＤＮは少なくともＩＴＣ（Ｉｎｆｏｍａｔｉｏｎ  Ｔｒａｎｓｆｅｒ  Ｃａｐａｂｉｌｉｔｙ、情報転送能力）情報を供給する。このパラメータは、通話（ＩＴＣ＝“ｓｐｅｅｃｈ”）のための伝送搬送波が要求されたのか、例えばモデムによって要求されるようなアナログのデータ伝送（ＩＴＣ＝“３．１ｋＨｚ  Ａｕｄｉｏ”）のための伝送搬送波が要求されたのか、それともディジタルのデータ伝送のための伝送搬送波が要求されたのかを示す。同様に、同期（すなわちビット指向）データ伝送方式が要求されるのか、それとも非同期（すなわち符号指向）データ伝送方式が要求されるのかが識別可能である。ＨＬＣ情報要素のパラメータＨＬＣＩ（Ｈｉｇｈ  Ｌａｙｅｒ  Ｃｈａｒａｃｔｅｒｉｓｔｉｃｓ  Ｉｎｆｏｒｍａｔｉｏｎ、高位レイヤ特性情報）は所望のアプリケーションを示す。ファクシミリは例えばＨＬＣＩ＝“Ｆａｃｓｉｍｉｌｅ  Ｇｒ．３”によって特徴付けられる。ＨＬＣＩ＝“Ｔｅｌｅｐｈｏｎｙ”は電話呼出しを特徴付ける。パラメータＵＲ（Ｕｓｅｒ  Ｒａｔｅ）においては要求された伝送速度が信号通知される。ＰＬＭＮが供給する情報は標準設定もしくはＰＬＭＮに適用される優先値に関係する。例えば、使用可能なもしくは優先的な無線チャネルコーディング、伝送品質（データ信頼性プロトコルの有無）または最大伝送速度の表示である。
【００１５】
本発明による方法の特に有利な実施態様では、移動通信網としてディジタル公衆陸上移動通信網ＰＬＭＮ、特にＧＳＭ通信網またはＵＭＴＳ通信網が選ばれる。
【００１６】
本発明による方法の特に有利な他の実施態様では、移動通信網のホームロケーションレジスＨＬＲにおいて定められた個数の異なるサービスが１つの番号を割付けられ、それによりサービスに特有の伝達能力に関する集められて一緒にされた使用可能な部分情報を付加的に用いてサービスの識別を可能にし、これを移動通信ユニットに通知する。完全なＢＣを発生させ、移動通信ユニットに送ることができる。
【００１７】
ホームロケーションレジスＨＬＲ内に記憶されている情報が非常に有効に利用される。呼出しが例えばＩＳＤＮから来た場合、ＨＬＲにおいて利用し得る例えばＩＴＣの如き或る情報が通知される。利用者には、例えばＨＬＲにおいて多数のサービスのために1つの番号のみが割付けられる。例えばＩＳＤＮのような固定通信網から供給される情報の助けを借りて、ＨＬＲはたいていの場合に呼出しつまりそれに対応するサービスを一義的に識別し、それにより移動通信網のための完全なＢＣ、すなわち例えばＰＬＭＮ−ＢＣを形成して移動通信ユニットに送ることができる。固定通信網から来る情報がサービスを識別するのに十分でない幾つかの僅かなケースにおいて、利用者もしくは移動通信ユニットに複数の番号が割付けられるが、しかし各番号はここでも複数のサービスに対して権利がある。最初に述べた多重番号付与型と違って、本発明によれば、利用者もしくは移動通信ユニットに、固定通信網側からＨＬＲに供給された情報の助けを借りて要求されたサービスを識別できるようにするために必要な数の番号だけが割付けられる。これは、本方法ができる限り有効な番号割付けを保証し、移動通信網の経営者が多重番号付与型に比べて番号を節減できることを意味する。
【００１８】
特に、本発明による方法のこの有利な実施態様では、一義的な識別が可能である。
【００１９】
一義的な識別ができない、すなわち識別の際に固定通信網から使用可能な情報にもかかわらず可能なサービスへの選択が残されている場合、本発明に従って、利用者における他の番号入力の代わりに、本方法の最初に述べた有利な実施態様において設けられた追加情報要素いわゆるＢＡＣＫＵＰをＨＬＲにおいて新たに作成し、ＨＬＲにおいて利用できる情報を載せることが考えられ得る。これは、一方では固定通信網からの情報（例えばＩＴＣ）、および考慮の対象になるサービスにおける番号割付けによって既に何らかの限定をされた選択である。このＢＡＣＫＵＰが信号通知メッセージで移動通信ユニットに送られる場合、移動通信ユニット側から正しいサービスを識別することができる確率は、例えば最初に述べた単一番号付与型よりも著しく高い。それゆえ、本発明による方法における上述の２つの有利な実施態様の組合わせは、本発明による方法の３番目の有利な実施態様をもたらす。
【００２０】
本発明による方法の他の利点を次の図に基づいて更に詳細に説明する。
図１は本発明による方法の実施例における経過の概略図、
図２は本発明による他の有利な実施例による移動通信網におけるＨＬＲにおける番号割付けの概略図を示す。
【００２１】
図１には、例えばＰＬＭＮの如き移動通信網において、例えばＩＳＤＮの如き固定通信網から呼出し（ｃａｌｌ）が来たときに、どの個別ステップがランするのかが概略的に示されている。ＩＳＤＮから来る、移動通信ユニットＭＳに向けられた呼出し（ｃａｌｌ）は、伝達能力に関するＩＳＤＮ特有の定められた情報要素、すなわちＩＳＤＮ−ＢＣおよび移動通信ユニットＭＳに割付けられた番号ＭＳＩＳＤＮによって特徴付けられ、先ず、いわゆるゲートウェイ移動通信交換局（ＧＭＳＣ）に達する。ここでＧＭＳＣは、移動通信ユニットの現在地を求めること、すなわち現在に移動通信ユニットにサービスしているＭＳＣのアドレス（番号）を求めることを試みる。このＭＳＣは在圏移動通信交換局（ＶＭＳＣ）と呼ばれる。移動通信ユニットの現在地を求めるために、ＧＭＳＣは先ず経路指定情報メッセージＳＲＩ（Ｓｅｎｄ  Ｒｏｕｔｉｎｇ  Ｉｎｆｏｒｍａｔｉｏｎ）を、移動通信ユニットＭＳを所轄するホームロケーションレジスタＨＬＲ（Ｈｏｍｅ  Ｌｏｃａｔｉｏｎ  Ｒｅｇｉｓｔｅｒ）に送る。この経路指定情報メッセージＳＲＩはＩＳＤＮ−ＢＣおよびＭＳＩＳＤＮをも含んでいる。今や、ＨＬＲは、ＭＳＩＳＤＮを介してアドレス指定され移動通信ユニットを含めた利用者の位置を求める使命を有し、更に呼出しによって要求されたサービスを利用することが利用者に許可されているかどうかを決定する使命を有する。このためには、この要求されたサービスを記述したＰＬＭＮ−ＢＣを必要とする。このＰＬＭＮ−ＢＣは、最初に述べたように規格化された２つの方法、すなわち単一番号付与型もしくは多重番号付与型に従って発生させることができる。同様に最初に述べたように、それは大抵できないか、もしくは願わしくない限界条件につながる。そこで、本発明による方法のこの有利な実施例の説明のために、ＨＬＲが完全なＰＬＭＮ−ＢＣを発生する状態にないことから出発する。それゆえ、ＧＳＭ／ＵＭＴＳ規格に応じてＰＬＭＮ−ＢＣが発生させられることはない。それにともない、ＰＬＭＮは、移動通信特有のサービスのどれが要求されたかを一義的に求めることができない。移動通信ユニットの現在地決定の使命を実現するために、ＨＬＲは、ＭＳに対する所轄のビジタロケーションレジスタＶＬＲ（Ｖｉｓｉｔｏｒ  Ｌｏｃａｔｉｏｎ  Ｒｅｇｉｓｔｅｒ）の他のメッセージＰＲＮ（Ｐｒｏｖｉｄｅ  Ｒｏａｍｉｎｇ  Ｎｕｍｂｅｒ）で、移動通信ユニットＭＳの位置を決めることを可能にするいわゆるローミング番号を要求する。ここで、メッセージＰＲＮで確かに更にＭＳＩＳＤＮが一緒に供給されるが、しかしＢＣは供給されない。その際、ＶＬＲは移動通信ユニットＭＳのためのローミング番号（ＭＳＲＮ）をＨＬＲに返送する。更に、ＨＬＲがこのローミング番号ＭＳＲＮをゲートウェイ移動通信交換局（ＧＭＳＣ）に与える。このゲートウェイ移動通信交換局（ＧＭＳＣ）から、固定通信網によって受信された元の信号通知メッセージＩＡＭ（Ｉｎｉｔｉａｌ  Ａｄｒｅｓｓ  Ｍｅｓｓａｇｅ、初期アドレスメッセージ）が、ＭＳに対する所轄の在圏移動通信交換局（ＶＭＳＣ）に送られる。メッセージＩＡＭはＩＳＤＮ−ＢＣの情報および移動ステーションローミング番号（Ｍ���ＲＮ）をも保持している。ＶＭＳＣは、ＶＬＲの他のメッセージ、いわゆるＳＩＦＩＣＳＵ（Ｓｅｎｄ  Ｉｎｆｏｒｍａｔｉｏｎ  Ｆｏｒ  Ｉｎｃｏｍｉｎｇ  Ｃａｌｌ  Ｓｅｔ  Ｕｐ）で、場合によってはＨＬＲから供給されるＰＬＭＮ−ＢＣを要求する。このＰＬＭＮ−ＢＣは、移動通信ユニットへの信号通知メッセージ（ｃａｌｌ  ｓｅｔ−ｕｐ  ｍｅｓｓａｇｅ）で受取られるべきである。しかし、ＶＬＲは上述のように完全なＰＬＭＮ−ＢＣを供給しない。それゆえ、ＶＭＳＣが追加情報要素いわゆるＢＡＣＫＵＰを供給する。このＢＡＣＫＵＰは呼出しつまり呼出しによって要求されたサービスに特有の伝達能力に関する全ての使用可能な情報を含んでいる。このＢＡＣＫＵＰはコールセットアップメッセージ（ｃａｌｌ  ｓｅｔ−ｕｐ  ｍｅｓｓａｇｅ）で他の情報要素と共に移動通信ユニットに送られる。ここで、呼出しつまり呼出しによって要求されたサービスに特有の伝達能力に関するこの完全でない情報により、移動通信ユニットＭＳはどの情報もない場合よりも大きな確率で正しいサービスを識別する状態にある。追加情報要素ＢＡＣＫＵＰは、コールセットアップメッセージ（ｃａｌｌ  ｓｅｔ−ｕｐ  ｍｅｓｓａｇｅ）のための新たな選択パラメータとして定義される。これは、この新しい機能性を識別しない古い移動通信ユニットがこのパラメータを無視して呼出しを通常のように立ち上げることができることを可能にする。それにより、本発明による方法は過去互換性を有し、つまり、既存の移動通信網に追加して実施可能にすることができる。
【００２２】
図２は、例えばＰＬＭＮの如き移動通信網のＨＬＲにおける番号割付けを示す。移動通信ユニットＭＳの利用者は本実施例においては２つの番号、すなわちＭＳＩＳＤＮ１およびＭＳＩＳＤＮ２を割付けられる。移動通信ユニットＭＳの利用者は４つの異なるサービスを利用する権利を与えられている。ＭＳＩＳＤＮ１は、例えば通話サービス、ファクシミリサービスおよびデータサービスの如き３つの異なるサービスに対して選択することができる。例えばディジタルマルチメディアサービスの如き４番目のサービスはＭＳＩＳＤＮ２を介して予め選択もしくは要求される。ここで、ＭＳＩＳＤＮ１が選択されると、ＨＬＲはＩＳＤＮ側からの信号通知情報の助けを借りて、３つのサービスを区別できる状態、もしくはこれらの３つのサービス下でどのサービスが呼出しによって要求されるのかを選択できる状態になる。従って、ＩＳＤＮ側からの信号通知情報に基づいてサービスの一義的な識別を行なうことができる。ディジタルマルチメディアサービスが要求される場合、ＭＳＩＳＤＮ２が選択されなければならない。なぜならば、ＩＳＤＮ側からの信号通信情報が、例えばディジタルデータサービスの場合と同じであるからである。この点では、ＨＬＲは、ＭＳＩＳＤＮが同じであれば、一方のサービスなのか他方のサービスなのか区別することができない。この場合に、ここではＩＳＤＮである固定通信網側からの信号通知情報は、サービスの一義的な識別を保証することができるようにするためには不十分である。この場合には付加的な番号ＭＳＩＳＤＮ２が用意される。しかしながら、多重番号付与型と違って、ここでは、固定通信網の信号通知情報の考慮なしにサービス毎に１つの番号が与えられるのではなくて、固定通信網側からの信号通知情報が十分でない場合にだけ番号が与えられる。呼出しつまり呼出しによって要求されたサービスに特有の伝達能力に関する使用可能な各情報が利用され、且つ効果的に使用される。
【図面の簡単な説明】
【００２３】
【図１】本発明による方法の実施例における経過の概略図
【図２】本発明による他の有利な実施例による移動通信網におけるＨＬＲにおける番号割付けの概略図
【符号の説明】
【００２４】
ＢＡＣＫＵＰ    追加情報要素
ＢＣ            伝達能力
Ｃａｌｌ        呼出し
ＧＭＳＣ        ゲートウェイ移動通信交換局
ＨＬＲ          ホームロケーションレジスタ
ＩＡＭ          元の信号通知メッセージ
ＭＳ            移動通信ユニット
ＭＳＩＳＤＮ    移動通信ユニットＭＳに割付けられた番号
ＭＳＲＮ        移動通信ユニットＭＳのためのローミング番号
ＰＲＮ          ローミング番号要求メッセージ
ＳＩＦＩＣＳＵ  ＶＬＲの他のメッセージ
ＳＲＩ          経路指定情報メッセージ
ＶＬＲ          ビジタロケーションレジスタ
ＶＭＳＣ        在圏移動通信交換局
【図１】
2005512427.tif 000003
【図２】
2005512427.tif 000004
【国際調査報告】
2005512427.tif 000005
2005512427.tif 000006
2005512427.tif 000007
2005512427.tif 000008